(57)【要約】      （修正有）【課題】コストを低減しつつ各利用者による冊子の利用し易さ等を高めることを可能とした冊子カバーを提供する。【解決手段】印字又はスタンプ押印可能な印面を有する冊子の表紙と裏表紙の各小口を挿し込む挿込み部を両側部に有し、当該冊子の外側面を覆う冊子カバー４であって、所定周波数の電波により非接触で外部リーダライタからのデータの書き込み又は当該外部リーダライタへのデータの読み出しが可能なＲＦＩＤチップ４１を取り付ける。【選択図】図３
0003148241.tif 000002
【実用新案登録請求の範囲】
【請求項１】
印字又はスタンプ押印可能な印面を有する冊子の表紙と裏表紙の各小口を挿し込む挿込み部を両側部に有し、当該冊子の外側面を覆う冊子カバーであって、
所定周波数の電波により非接触で外部リーダライタからのデータの書き込み又は当該外部リーダライタへのデータの読み出しが可能なＩＣチップが取り付けられていることを特徴とする冊子カバー。
【請求項２】
請求項２に記載の冊子カバーにおいて、
前記ＩＣチップは、前記印面に印字又はスタンプ押印される際に、当該印面を介して、前記印字又はスタンプ押印するための装置と対向する位置に取り付けられていることを特徴とする冊子カバー。
【請求項３】
請求項１又は２に記載の冊子カバーにおいて、
前記ＩＣチップが埋め込まれたカードを保持するためのポケットを備え、
前記カードが前記ポケットに挿入されることにより前記ＩＣチップが取り付けられることを特徴とする冊子カバー。
【考案の詳細な説明】
【技術分野】
【０００１】
本考案は、冊子カバーの技術分野に関する。
【背景技術】
【０００２】
近年、非接触で外部リーダライタからのデータの書き込み又は当該外部リーダライタへのデータの読み出しが可能な非接触ＩＣチップ付の冊子が開発されており、例えば、パスポートや預金通帳等に利用されている（特許文献１参照）。これにより、このような非接触ＩＣチップ付の冊子に対して、外部から例えばスタンプがなされると同時に非接触ＩＣチップからデータを読み出して認証することが可能となる。
【特許文献１】特開２００８−８７３９６号公報
【考案の開示】
【考案が解決しようとする課題】
【０００３】
ところで、従来から、利用者が複数の拠点においてスタンプを押印していき、基準数のスタンプが押印されると景品と交換できるスタンプラリーが知られているが、当該スタンプが押印されるスタンプ帖にも、非接触ＩＣチップ付の冊子を適用すれば、スタンプラリー時における不正を防ぐことができると考えられる。
【０００４】
しかしながら、全ての利用者のスタンプ帖に非接触ＩＣチップを付けることになると、そのコストが増し好ましくない。
【０００５】
そこで、本考案は、このような点等に鑑みてなされたものであり、コストを低減しつつ各利用者による冊子の利用し易さ等を高めることを可能とした冊子カバーを提供することを課題とする。
【課題を解決するための手段】
【０００６】
上記課題を解決するために、請求項１に記載の考案は、印字又はスタンプ押印可能な印面を有する冊子の表紙と裏表紙の各小口を挿し込む挿込み部を両側部に有し、当該冊子の外側面を覆う冊子カバーであって、所定周波数の電波により非接触で外部リーダライタからのデータの書き込み又は当該外部リーダライタへのデータの読み出しが可能なＩＣチップが取り付けられていることを特徴とする。
【０００７】
請求項２に記載の考案は、請求項２に記載の冊子カバーにおいて、前記ＩＣチップは、前記印面に印字又はスタンプ押印される際に、当該印面を介して、前記印字又はスタンプ押印するための装置と対向する位置に取り付けられていることを特徴とする。
【０００８】
請求項３に記載の考案は、請求項１又は２に記載の冊子カバーにおいて、前記ＩＣチップが埋め込まれたカードを保持するためのポケットを備え、前記カードが前記ポケットに挿入されることにより前記ＩＣチップが取り付けられることを特徴とする。
【考案の効果】
【０００９】
本考案によれば、印字又はスタンプ押印可能な印面を有する冊子の表紙と裏表紙の各小口を挿し込む挿込み部を両側部に有し、当該冊子の外側面を覆う冊子カバーに、所定周波数の電波により非接触で外部リーダライタからのデータの書き込み又は当該外部リーダライタへのデータの読み出しが可能なＩＣチップを取り付けるように構成したので、コストを低減しつつ各利用者による冊子の利用し易さ等を高めることができる。
【考案を実施するための最良の形態】
【００１０】
以下、本考案を実施するための最良の実施形態について、図面に基づいて説明する。なお、以下に説明する実施の形態は、本考案を、スタンプラリーを行うためのスタンプシステムに適用した場合の実施形態である。
【００１１】
図１は、スタンプラリーの流れを示す概念図である。なお、図１の例では、スタンプラリーが行われる拠点として、Ａ〜Ｃの３つが示されているが、実際にはこれより多くの拠点が存在する。
【００１２】
各拠点Ａ〜Ｃには、夫々、同一の構成及び機能を有するスタンプ装置１がスタンプ台２上に設置されている。各拠点Ａ〜Ｃにおけるスタンプ装置１に備えられるメモリには、各スタンプ装置１が設置された拠点を示す拠点データ（例えば、各拠点に固有の識別番号からなる）が記憶されており、これらの拠点データは互いに異なる。
【００１３】
スタンプラリーを行う利用者Ｕは、図１に示すように、スタンプ帖カバー４（冊子カバーの一例）が付いたスタンプ帖３（冊子の一例）を持って各拠点Ａ〜Ｃをまわり（回り）、各拠点Ａ〜Ｃにおいてスタンプ装置１を用いてスタンプをスタンプ帖３に押印し、例えば、最終的に景品交換所にスタンプ帖３を持っていき景品と交換したり、或いは景品を得るための抽選を行う。
【００１４】
図２は、本実施形態に係るスタンプ装置１及びスタンプ台２の構成を説明するための断面図である。図２に示すように、スタンプ装置１は、電源プラグ１１、筐体グリップ部１２、筐体スタンプ部１３、化粧・認識用ＬＥＤ（発光ダイオード）１４、制御基板１５、スピーカ（又はブザー）１６、ＲＦＩＤ（Radio Frequency Identification System）アンテナ１７、ＲＦＩＤリーダライタ通信スイッチ（以下、「Ｒ／Ｗ通信スイッチ」という）１８、及びスタンプを押印するための印版部としてのゴム印１９等を備えて構成されている。
【００１５】
制御基板１５は、ＣＰＵ，ＲＡＭ，ＲＯＭ，不揮発性メモリ等を備え、ＲＦＩＤリーダライタの機能及び計時（時計）機能を有する。かかるＲＦＩＤリーダライタは、例えば非接触ＩＣカード技術である公知のＦｅｌｉＣａ（登録商標）技術を採用しており、当該ＦｅｌｉＣａ技術を採用したＩＣチップ（以下、「ＲＦＩＤチップ」という）からのデータの読み取り及び当該ＲＦＩＤチップへのデータの書き込みを所定周波数の電波により非接触で（非接触通信により）行うことが可能になっている。なお、非接触ＩＣカード技術として上記ＦｅｌｉＣａ以外の技術を適用しても良く、例えば、ＭＩＦＡＲＥ（Ｒ）ウルトラライト（ＩＳＯ  １４４４３Ａ）の技術を適用しても良い。
【００１６】
例えば、ＲＦＩＤリーダライタは、Ｒ／Ｗ通信スイッチ１８がＯＮ（オン）であるときに通信可能範囲内（例えば、１０ｃｍ程度）に入ったＲＦＩＤチップを、ＲＦＩＤアンテナを介して検知し（このとき、ＲＦＩＤチップからＵＩＤ（ＲＦＩＤチップの識別子（例えば、ＲＦＩＤチップ毎にユニークな製造番号））を取得）、当該ＲＦＩＤチップに電波（例えば１３．５６ＭＨｚ）を発信することでＲＦＩＤチップに電力を供給（電磁誘導による）し、キャリアの変調により当該ＲＦＩＤチップ間でデータ通信（ＲＦＩＤの非接触通信）を行うことにより、当該ＲＦＩＤチップからのデータの読み取り及び当該ＲＦＩＤチップへのデータの書き込みを非接触で行う。
【００１７】
また、制御基板１５に備えられるＲＯＭ（又は不揮発性メモリ）の所定の記憶領域には、上述した拠点データが記憶されている。
【００１８】
Ｒ／Ｗ通信スイッチ１８は、図２に示すように、スタンプ装置１がスタンプ台２に設置されているときはスタンプ台２におけるＲ／Ｗ通信スイッチ押し出し突起２１により付勢されるためＯＦＦに、スタンプ装置１がスタンプ台２から離れるとＲ／Ｗ通信スイッチ押し出し突起２１による付勢が解かれるためＯＮになる。
【００１９】
ゴム印１９のスタンプ台２側の印面には、所定の文字、図形等のキャラクタの像形状が形成されており、反対の面は図示のように筐体スタンプ部１３に接着されている。また、スタンプ装置１がスタンプ台２に置かれている状態では、ゴム印１９の印面は、スタンプ台２に設けられた朱肉２０に接している。そして、利用者Ｕがスタンプ装置１を持ち上げ、上記ゴム印１９の印面を、スタンプ帖３の印面（紙面）に押し当てると上記像形状のスタンプが押印されることになる。なお、印版部としては、ゴム印の他にも、撓み易い材質の印であっても良い。
【００２０】
図３は、スタンプ帖３及びスタンプ帖カバー４の構成を説明するための図である。スタンプ帖３は、スタンプを押印可能な複数の印面を有しており（複数ページからなる）、当該複数の印面それぞれにスタンプが押印可能になっている。また、スタンプ帖カバー４は、図３に示すように、スタンプ帖３の表紙と裏表紙の各小口を挿し込む挿込み部４１，４２を両側部に有し、スタンプ帖３の外側面を覆うようになっている。そして、図３の例では、スタンプ帖カバー４には、上述したようなＲＦＩＤチップ４１（アンテナ含む）が埋め込まれたカードＣＡが内側に取り付けられている（ＲＦＩＤチップ４１自体が取り付けられるように構成しても良い）。この取り付け方法としては、当該カードＣＡがスタンプ帖カバー４に接着剤等で貼り付けられるか、或いは、当該カードＣＡがスタンプ帖カバー４に備えられたポケット（カードＣＡを保持するためのポケット）に挿入されるなどがある。
【００２１】
また、ＲＦＩＤチップ４１は、スタンプ帖３の印面にスタンプが押印される際に、当該印面を介して、スタンプ装置１と対向する位置に取り付けられることが望ましい。例えば、ＲＦＩＤチップ４１のアンテナの中央（中心）とスタンプ帖３に印刷された枠（スタンプが押印される領域の枠）印の中央が一致するように位置決めされる。これにより、スタンプがスタンプ帖３に押印される際に、スタンプ装置１とＲＦＩＤチップ４１との間のデータのやり取りを確実に行わせることができる。
【００２２】
また、ＲＦＩＤチップ４１には、固有のＵＩＤ（例えば、ＲＦＩＤチップ毎にユニークな製造番号）等が予め記憶されている。
【００２３】
以上の構成において、スタンプ装置１（ＣＰＵ）は、スタンプ帖３の印面にスタンプが押印される際に、スタンプ帖カバー４におけるＲＦＩＤチップ４１を検知し、当該ＲＦＩＤチップ４１に書き込むべきデータをＲＦＩＤアンテナ１７を介して非接触通信により当該ＲＦＩＤチップ４１に送信する。一方、当該ＲＦＩＤチップ４１は、スタンプ装置１から送信されたデータをスタンプ帖３のページを透過して受信しメモリに書き込むようになっている。
【００２４】
なお、上記「書き込むべきデータ」には、例えば、スタンプ装置１のＲＯＭ等の所定の記憶領域に予め記憶されている拠点データ（拠点の通過履歴を構成するデータ）と、スタンプ装置１の計時機能により計時された時刻（当該データが書き込まれる際の時刻）を示す時刻データ（例えば、年月日日時を示すタイムスタンプ）が少なくとも含まれる。
【００２５】
図４は、スタンプ装置１の動作フローの一例を示す図である。
【００２６】
図４において、先ず、スタンプ装置１の電源ＯＮによりシステムが起動（ＣＰＵによりプログラム実行開始）し、起動確認音を再生しスピーカ（又はブザー）１６を通じて出力させる（Ａ）。このとき、スタンプ装置１は、スタンプ台２に設置されており、Ｒ／Ｗ通信スイッチ１８はＯＦＦになっている（Ｂ）。
【００２７】
次に、利用者Ｕがスタンプ装置１をスタンプ台２から持ち上げると、Ｒ／Ｗ通信スイッチ１８はＯＮになり、スタンプ装置１は、これに応じてＲＦＩＤチップのＵＩＤ取得コマンドを発行（これは定期的に行われる）し、ＲＦＩＤアンテナ１７を介して出力する。そして、スタンプ装置１は、ＲＦＩＤチップ４１からのＵＩＤの取得成功（Ｃ）により、当該ＲＦＩＤチップ４１を検知する。
【００２８】
次に、スタンプ装置１は、ＲＦＩＤチップ４１のメモリに書き込まれている拠点データ（未だ書き込まれていない場合は、例えばＮＵＬＬデータ）を、非接触通信により当該ＲＦＩＤチップ４１から取得し（読み込み）、自己の拠点データがＲＦＩＤチップ４１に既に書き込まれているか否かを判別する。そして、当該拠点データが既に書き込まれていない場合には（つまり、当該スタンプ装置１に記憶されている拠点データが、ＲＦＩＤチップ４１から取得されたデータに含まれていない場合にのみ）、スタンプ装置１は、自己の拠点の通過履歴及びタイムスタンプを有するデータを非接触通信で当該ＲＦＩＤチップ４１に送信することにより当該ＲＦＩＤチップ４１のメモリに書き込ませる（Ｄ）。
【００２９】
こうして当該通信が完了すると、スタンプ装置１は、化粧・認識用ＬＥＤ１４を点灯させると共に、完了通知音を再生しスピーカ（又はブザー）１６を通じて出力させる（Ｅ）。
【００３０】
一方、上記判別において拠点データが既に書き込まれている場合には、スタンプ装置１は、エラー通知音を再生しスピーカ（又はブザー）１６を通じて出力させることになる。これにより、ＲＦＩＤチップ４１への書き込みは１つのスタンプ装置１（１拠点）で１度しかできないように制限することができる。
【００３１】
次に、スタンプ装置１、及びスタンプ帖カバー４が付いたスタンプ帖３を用いたスタンプラリーの実施例を説明する。
【００３２】
図５は、実施例におけるスタンプラリーの流れを示す概念図である。
【００３３】
図５に示すように、スタンプラリーで使用されるスタンプ帖カバー４が付いたスタンプ帖３は、スタンプラリーを開催する事業者により用意され、スタンプラリー開始前に利用者Ｕに配布される。
【００３４】
そして、利用者Ｕはスタンプ帖カバー４が付いたスタンプ帖３を持って拠点Ａ〜Ｃを回り、図５に示すように、各拠点Ａ〜Ｃにおいてスタンプ装置１を用いてスタンプ帖３の印面にスタンプを押すとともに、当該自己の拠点の通過履歴及びタイムスタンプを有するデータをスタンプ帖カバー４のＲＦＩＤチップ４１に書き込ませ、最終的に例えば景品交換所を訪れることになる。
【００３５】
この景品交換所には、景品交換用Ｒ／Ｗ（ＲＦＩＤリーダライタ）５とこれに電気的に接続される処理端末６が設置されている。
【００３６】
そして、当該景品交換所において、利用者Ｕが自身のスタンプ帖カバー４を景品交換用Ｒ／Ｗ５にかざすと、景品交換用Ｒ／Ｗ５は、ＲＦＩＤチップ４１からＵＩＤ、及び各拠点の通過履歴及びタイムスタンプを有するデータを非接触通信により読み込み、これらのデータを処理端末６に送信することになる。
【００３７】
処理端末６は、上記スタンプ帖カバー４におけるＲＦＩＤチップ４１に書き込まれた上記データ及び当該ＲＦＩＤチップ４１に予め記憶されていたＵＩＤを景品交換用Ｒ／Ｗ５を通じて取得し、当該取得されたデータに基づいて、当該スタンプ帖３の所有者である利用者Ｕに対して所定の権利を与えるか否かを決定するようになっている。
【００３８】
例えば、処理端末６は、上記取得したＵＩＤ及び拠点データをチェックし、例えば景品交換の権利（景品が得られる権利）或いは抽選ができる権利を当該利用者Ｕに与えるか否かを決定（判断）する。そして、処理端末６は、例えば景品交換の権利（景品が得られる権利）或いは抽選ができる権利を当該利用者Ｕに与えると決定した場合には、その旨を示す情報を出力（例えば、印刷出力、表示出力、音声出力など）する。こうして、当該権利を与えられた利用者Ｕは、スタンプ帖３と景品を交換したり（景品が得られる）、スタンプ帖３と抽選券を交換する（抽選ができる）ことができる。さらに、処理端末６は、当該景品交換又は抽選券交換を行ったこと示す履歴（例えば、交換済みフラグ“１”）を、景品交換用Ｒ／Ｗ５を通じてスタンプ帖カバー４のＲＦＩＤチップ４１に書き込ませる。
【００３９】
ここで、上述した、利用者Ｕに対して所定の権利を与えるか否かの判断方法の具体例として、処理端末６は、ＲＦＩＤチップ４１からデータを読み出し、上記取得したＵＩＤに対応付けられて上記交換を行ったこと示す履歴（例えば、交換済みフラグ“１”）がＲＦＩＤチップ４１に書き込まれているか否かを判別し、ＲＦＩＤチップ４１に書き込まれていない場合には、続いて、上記取得した拠点データが拠点Ａ〜Ｃの数分、或いは当該拠点Ａ〜Ｃより少ない所定数分あるか否かを判別し、当該数分ある場合に、利用者Ｕに対して所定の権利を与えることを決定する。
【００４０】
例えば、処理端末６は、上記取得したデータに予め定められた必須拠点（例えば、拠点Ｂ）の拠点データが含まれている場合に利用者Ｕに対して所定の権利を与えることを決定したり（例えば、利用者Ｕが必須拠点（ノルマとなる拠点）を回っていた場合のみ、例えば景品交換を可能とさせる）、或いは、上記取得したデータに予め定められた拠点数分（例えば、拠点Ａ〜Ｃのうちの何れか２つの拠点）の拠点データが含まれている場合に利用者Ｕに対して所定の権利を与えることを決定する（例えば、利用者Ｕが必要な拠点数を回っていた場合のみ、例えば景品交換を可能とさせる）。
【００４１】
一方、上記交換を行ったこと示す履歴がＲＦＩＤチップ４１に書き込まれている場合、又は上記数分ない場合には、処理端末６は、利用者Ｕに対して所定の権利を与えないことを決定することになる。
【００４２】
そして、例えば抽選後や商品交換後に、スタンプ帖３からスタンプ帖カバー４が外されてスタンプ帖３のみ利用者Ｕに記念として提供される。一方、スタンプ帖カバー４は例えばリセット機にかざされ、ＵＩＤ以外の情報がクリアされ、再利用される。
【００４３】
以上説明したように、上記実施形態によれば、ＲＦＩＤチップ４１を、最終的に利用者Ｕに提供されるスタンプ帖３に付けずスタンプ帖カバー４に付けるように構成したので、ＲＦＩＤチップ４１のコストを低減しつつ各利用者Ｕによるスタンプ帖３の利用し易さ等を高めることができる。
【００４４】
なお、上記実施形態においては、本考案における冊子カバーとして、スタンプラリーに用いられるスタンプ帖カバーを例にとって説明したが、スタンプ押印可能な印面を有するその他の冊子用の冊子カバーにも適用可能である。また、スタンプ押印可能な印面ではなく、例えば電子データを印字可能な印面を有する冊子用の冊子カバーにも適用可能である。
【図面の簡単な説明】
【００４５】
【図１】スタンプラリーの流れを示す概念図である。
【図２】本実施形態に係るスタンプ装置１及びスタンプ台２の構成を説明するための断面図である。
【図３】スタンプ帖３及びスタンプ帖カバー４の構成を説明するための図である。
【図４】スタンプ装置１の動作フローの一例を示す図である。図５は、実施例におけるスタンプラリーの流れを示す概念図である。
【図５】実施例におけるスタンプラリーの流れを示す概念図である。
【符号の説明】
【００４６】
１  スタンプ装置
２  スタンプ台
３  スタンプ帖
４  スタンプ帖カバー
５  景品交換用Ｒ／Ｗ
６  処理端末
１１  電源プラグ
１２  筐体グリップ部
１３  筐体スタンプ部
１４  化粧・認識用ＬＥＤ
１５  制御基板
１６  スピーカ（又はブザー）
１７  ＲＦＩＤアンテナ
１８  Ｒ／Ｗ通信スイッチ
１９  ゴム印
４１  ＲＦＩＤチップ   
【図１】
0003148241.tif 000003
【図２】
0003148241.tif 000004
【図３】
0003148241.tif 000005
【図４】
0003148241.tif 000006
【図５】
0003148241.tif 000007
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
印字又はスタンプ押印可能な印面を有する冊子の表紙と裏表紙の各小口を挿し込む挿込み部を両側部に有し、当該冊子の外側面を覆う冊子カバーであって、
所定周波数の電波により非接触で外部リーダライタからのデータの書き込み又は当該外部リーダライタへのデータの読み出しが可能なＩＣチップが取り付けられていることを特徴とする冊子カバー。
【請求項２】
請求項１に記載の冊子カバーにおいて、
前記ＩＣチップは、前記印面に印字又はスタンプ押印される際に、当該印面を介して、前記印字又はスタンプ押印するための装置と対向する位置に取り付けられていることを特徴とする冊子カバー。
【請求項３】
請求項１又は２に記載の冊子カバーにおいて、
前記ＩＣチップが埋め込まれたカードを保持するためのポケットを備え、
前記カードが前記ポケットに挿入されることにより前記ＩＣチップが取り付けられることを特徴とする冊子カバー。